(57)【要約】【課題】メンテナンス性を向上させることができる衛生洗浄装置を提供する。【解決手段】実施形態に係る衛生洗浄装置は、ベースプレートと、ベースプレート上に設けられ、水を貯留する大気開放式のタンクと、タンクに貯留された水を使用者の局部に向けて吐出する吐水ノズルと、ベースプレート上に設けられ、タンクの余剰水を排出する排水部とを備える。タンクは、タンク本体と、タンク本体内に水を流入させる流入部と、タンク本体内の水を吐水ノズルへ流出させる流出部と、流入口との間にエアギャップを形成するように設けられ、余剰水を排水部へ流出させるオーバーフロー口とを有する。排水部は、オーバーフロー口に接続され余剰水が流れる流路を有する。また、排水部は、タンクに対して別体であるとともに、ベースプレートに対しても別体である。【選択図】図６Ｂ
2019199789.tif 000002
【特許請求の範囲】
【請求項１】
ベースプレートと、
前記ベースプレート上に設けられ、水を貯留する大気開放式のタンクと、
前記タンクに貯留された水を使用者の局部に向けて吐出する吐水ノズルと、
前記ベースプレート上に設けられ、前記タンクの余剰水を排出する排水部と
を備え、
前記タンクは、
タンク本体と、
前記タンク本体内に水を流入させる流入口と、
前記タンク本体内の水を前記吐水ノズルへ流出させる流出口と、
前記流入口との間にエアギャップを形成するように設けられ、前記余剰水を前記排水部へ流出させるオーバーフロー口と
を有し、
前記排水部は、
前記オーバーフロー口に接続され前記余剰水が流れる流路を有し、
前記タンクに対して別体であるとともに前記ベースプレートに対しても別体であること
を特徴とする衛生洗浄装置。
【請求項２】
前記排水部は、
前記流路の上部が開放されていること
を特徴とする請求項１に記載の衛生洗浄装置。
【請求項３】
前記排水部は、
前記流路の流路断面積が前記オーバーフロー口の流路断面積以上であること
を特徴とする請求項１または２に記載の衛生洗浄装置。
【請求項４】
前記排水部は、
前記流路の少なくとも一部において流路断面積が拡大している拡大部を有すること
を特徴とする請求項１〜３のいずれか一つに記載の衛生洗浄装置。
【請求項５】
前記排水部は、
前記流路の少なくとも一部において湾曲している湾曲部を有すること
を特徴とする請求項１〜４のいずれか一つに記載の衛生洗浄装置。
【請求項６】
前記排水部は、
前記流路の少なくとも一部において流路断面積が拡大している拡大部を有し、
前記拡大部は、
前記湾曲部の上流側に設けられること
を特徴とする請求項５に記載の衛生洗浄装置。
【請求項７】
前記排水部は、
前記湾曲部の上流側に前記余剰水の流れ方向に対面する壁部を有すること
を特徴とする請求項５または６に記載の衛生洗浄装置。
【請求項８】
前記ベースプレートに取り付けられ該ベースプレートの上方を覆うカバー
を備え、
前記カバーは、
前記ベースプレートに取り付けられた状態において前記排水部を上方から押圧すること
を特徴とする請求項１〜７のいずれか一つに記載の衛生洗浄装置。
【発明の詳細な説明】
【技術分野】
【０００１】
開示の実施形態は、衛生洗浄装置に関する。
【背景技術】
【０００２】
従来、洋式便器本体の上部に配置され、吐出される水によって人体局部を洗浄する衛生洗浄装置が知られている。衛生洗浄装置は、例えば、水道管などの給水源から供給される水をタンクに貯留し、貯留された水を吐水ノズルから人体局部へ吐出するように構成される。
【０００３】
衛生洗浄装置にあっては、汚水が流路を逆流して給水源を汚染することを防止するため、給水源から吐水ノズルまでの流路にエアギャップが形成されることがある（例えば、特許文献１参照）。エアギャップは、給水源から吐水ノズルまでの流路を分断するような空間であり、例えば、タンクに形成される。
【０００４】
タンクは、上部が開放された開放式タンクであり、上部から水が溢れ出るのを防止するために、例えば、タンクの余剰水を排出するオーバーフロー口を備える。また、タンクを含む各部品が設けられるベースプレート上には、オーバーフロー口に接続され余剰水が流れる排水流路が、例えば、ベースプレートと一体に設けられる。
【先行技術文献】
【特許文献】
【０００５】
【特許文献１】特開２０１４−１９００００号公報
【発明の概要】
【発明が解決しようとする課題】
【０００６】
ところで、上記した排水流路は、例えば、スケールによる閉塞などを防止するために、スケールを除去する必要がある。
【０００７】
しかしながら、従来の衛生洗浄装置は、排水流路がベースプレートと一体であるため、スケールを除去する場合、ベースプレート上の排水流路周辺の部品を取り外す必要があるなど作業が煩雑であることから、メンテナンス性の向上について改善の余地があった。
【０００８】
実施形態の一態様は、メンテナンス性を向上させることができる衛生洗浄装置を提供することを目的とする。
【課題を解決するための手段】
【０００９】
実施形態の一態様に係る衛生洗浄装置は、ベースプレートと、前記ベースプレート上に設けられ、水を貯留する大気開放式のタンクと、前記タンクに貯留された水を使用者の局部に向けて吐出する吐水ノズルと、前記ベースプレート上に設けられ、前記タンクの余剰水を排出する排水部とを備え、前記タンクは、タンク本体と、前記タンク本体内に水を流入させる流入口と、前記タンク本体内の水を前記吐水ノズルへ流出させる流出口と、前記流入口との間にエアギャップを形成するように設けられ、前記余剰水を前記排水部へ流出させるオーバーフロー口とを有し、前記排水部は、前記オーバーフロー口に接続され前記余剰水が流れる流路を有し、前記タンクに対して別体であるとともに前記ベースプレートに対しても別体であることを特徴とする。
【００１０】
かかる構成によれば、排水部を着脱自在に構成することができ、排水部のみを取り出すことができる。これにより、例えば、排水部において発生したスケールを除去する場合に作業を容易に行えるなど、メンテナンス性を向上させることができる。
【００１１】
また、前記排水部は、前記流路の上部が開放されていることを特徴とする。
【００１２】
かかる構成によれば、排水部の排水能力を上回る量の余剰水が流れ込んだ場合でも、上部が開放された流路から余剰水が溢れ出ることで、余剰水の逆流を防止することができる。これにより、余剰水の逆流によるタンク本体からのオーバーフローを防止することができる。
【００１３】
また、前記排水部は、前記流路の流路断面積が前記オーバーフロー口の流路断面積以上であることを特徴とする。
【００１４】
かかる構成によれば、排水部の流路の流路断面がオーバーフロー口よりも狭くなることがないため、オーバーフロー口からの余剰水の排水速度が追い付かないなど、排水部の排水能力を上回ることを防いで余剰水の逆流を防止することができる。これにより、余剰水の逆流によるタンク本体からのオーバーフローを防止することができる。
【００１５】
また、前記排水部は、前記流路の少なくとも一部において流路断面積が拡大している拡大部を有することを特徴とする。
【００１６】
かかる構成によれば、流路断面積が拡大している拡大部において余剰水の流速を低下させることができ、上記同様、オーバーフロー口からの余剰水の排水速度が追い付かないなど、排水部の排水能力を上回ることを防いで余剰水の逆流を防止することができる。これにより、余剰水の逆流によるタンク本体からのオーバーフローを防止することができる。
【００１７】
また、前記排水部は、前記流路の少なくとも一部において湾曲している湾曲部を有することを特徴とする。
【００１８】
かかる構成によれば、ベースプレート上に配置された他の部材を避けながら排水部を配置することができ、スペース効率を高めることができる。また、湾曲部において圧損が生じることで余剰水の流速を低下させることができ、上記同様、オーバーフロー口からの余剰水の排水速度が追い付かないなど、排水部の排水能力を上回ることを防いで余剰水の逆流を防止することができる。これにより、余剰水の逆流によるタンク本体からのオーバーフローを防止することができる。
【００１９】
また、前記拡大部は、前記湾曲部の上流側に設けられることを特徴とする。
【００２０】
かかる構成によれば、湾曲部に余剰水が到達する前に拡大部で余剰水の流速を低下させることができる。これにより、余剰水が排水部の流路外へ飛散するのを抑えることができる。
【００２１】
また、前記排水部は、前記湾曲部の上流側に前記余剰水の流れ方向に対面する壁部を有することを特徴とする。
【００２２】
かかる構成によれば、湾曲部に余剰水が到達する前に壁部に衝突することで、余剰水の流速を低下させることができる。これにより、余剰水が排水部の流路外へ飛散するのを抑えることができる。
【００２３】
また、前記ベースプレートに取り付けられ該ベースプレートの上方を覆うカバーを備え、前記カバーは、前記ベースプレートに取り付けられた状態において前記排水部を上方から押圧することを特徴とする。
【００２４】
かかる構成によれば、排水部がベースプレートに押し付けられてベースプレート上に固定されるため、排水部のがたつきや、例えば、使用者の指が当たることによる排水部のぐらつきを抑えることができる。
【発明の効果】
【００２５】
実施形態の一態様によれば、メンテナンス性を向上させることができる。
【図面の簡単な説明】
【００２６】
【図１】図１は、実施形態に係る衛生洗浄装置を備えたトイレ装置を示す斜視図である。
【図２】図２は、ノズルユニットや給水部を含む衛生洗浄装置の構成の一例を示す説明図である。
【図３】図３は、タンク内の説明図である。
【図４Ａ】図４Ａは、ベースプレートを示す斜視図（その１）である。
【図４Ｂ】図４Ｂは、ベースプレートを示す斜視図（その２）である。
【図５】図５は、オーバーフロー口を示す斜視図である。
【図６Ａ】図６Ａは、排水部が取り付けられた状態を示す斜視図である。
【図６Ｂ】図６Ｂは、排水部が取り外された状態を示す斜視図である。
【図７Ａ】図７Ａは、排水部および流路を示す平面図である。
【図７Ｂ】図７Ｂは、図７ＡにおけるＡ部拡大図である。
【図８】図８は、排水部の固定構造を示す側断面図である。
【発明を実施するための形態】
【００２７】
以下、添付図面を参照して、本願の開示する衛生洗浄装置の実施形態を詳細に説明する。なお、以下に示す実施形態によりこの発明が限定されるものではない。
【００２８】
＜１．衛生洗浄装置の構成＞
図１は、実施形態に係る衛生洗浄装置２０を備えたトイレ装置１を示す斜視図である。なお、図１には、説明を分かり易くするために、互いに直交するＸ軸方向、Ｙ軸方向およびＺ軸方向を規定し、Ｚ軸正方向を鉛直上向き方向とする３次元の直交座標系を図示している。かかる直交座標系は、後述の説明に用いる他の図面でも示す場合がある。また、図１および後述する図２以降は、いずれも模式図である。
【００２９】
図１に示すように、トイレ装置１は、洋式大便器（以下「便器」と記載する）１０と、衛生洗浄装置２０とを備え、トイレ室内に設置される。便器１０は、貯水タンク１１に貯留された水で洗浄を行うロータンク式であるが、これに限定されるものではなく、例えばフラッシュバルブ式であってもよい。また、図１に示す例では、床置き式の便器１０を示したが、これに限られず、壁掛け式などであってもよい。
【００３０】
衛生洗浄装置２０は、便器１０の上部に設けられ、水を使用者の身体へ吐出させて局部を洗浄する。なお、本明細書において、「水」なる表現は、必ずしも冷水の意味ではなく、温水を含む意味で使用する場合がある。
【００３１】
具体的には、衛生洗浄装置２０は、本体部３０と、便蓋３００と、図示しない便座とを備える。便蓋３００および便座はともに、開閉可能なように本体部３０に取り付けられる。
【００３２】
本体部３０は、ケース３１と、ノズルユニット４０と、給水部５０とを備える。ケース３１は、ノズルユニット４０や給水部５０などを収納する。
【００３３】
図２は、ノズルユニット４０や給水部５０を含む衛生洗浄装置２０の構成の一例を示す説明図である。
【００３４】
図２に示すように、衛生洗浄装置２０は、ノズルユニット４０や給水部５０に加え、制御部２００と、着座センサ２１０と、操作部２２０とを備える。なお、上記した制御部２００および着座センサ２１０は、例えば、本体部３０に設けられる。
【００３５】
ノズルユニット４０は、吐水ノズル４１を備える。例えば、吐水ノズル４１は、先端に吐水孔４２が開口され、水を吐水孔４２から使用者の局部などへ吐出することができる。また、吐水ノズル４１は、ケース３１（図１参照）に対して進退可能に構成される。詳しくは、例えば、吐水ノズル４１には、図示しないモータなどの駆動源が接続される。吐水ノズル４１は、駆動源の駆動により、便器１０のボウル１２内へ進出した位置と、ケース３１内に後退して格納される位置との間で進退させられる。なお、吐水ノズル４１は、進出した位置で水を使用者の身体へ吐出させて局部を洗浄する。
【００３６】
給水部５０は、水道管などの給水源５に接続され、給水源５からの水をノズルユニット４０へ供給する。具体的には、給水部５０は、止水栓５１と、給水バルブユニット５２と、タンク６０と、ポンプ１１０と、熱交換器１２０とを備える。
【００３７】
なお、以下では、給水源５からノズルユニット４０までの流路のうち、給水源５からタンク６０までの流路を「第１流路５０ａ」、タンク６０から熱交換器１２０までの流路を「第２流路５０ｂ」、熱交換器１２０からノズルユニット４０までの流路を「第３流路５０ｃ」と記載する場合がある。
【００３８】
第１流路５０ａには、上流側から順に、止水栓５１および給水バルブユニット５２が設けられる。止水栓５１は、給水源５から第１流路５０ａへの水の供給を手動操作に応じて停止させるための器具であるが、通常は開けた状態とされる。
【００３９】
給水バルブユニット５２は、上流側から順に、逆止弁５２ａと、ストレーナ５２ｂと、定流量弁５２ｃと、電磁弁５２ｄとを備える。逆止弁５２ａは、給水源５から止水栓５１を介して供給された水の逆流を防止する。ストレーナ５２ｂは、給水源５から供給される水に混入したゴミなどの異物を除去する。定流量弁５２ｃは、給水源５から流入される水を所定の流量以下に調整して流出させる。電磁弁５２ｄは、例えば、非通電時に閉状態となるノーマルクローズ式のバルブであり、制御部２００からの制御信号に応じて第１流路５０ａを開閉する。
【００４０】
タンク６０は、給水源５から第１流路５０ａを介して供給された水を貯留する。タンク６０は、後述するタンク本体６１（図３参照）の上方に設けられる後述する流入口６２（図３参照）を備える。流入口６２は、例えば、給水源５からの水を垂直方向へ吐出してタンク本体６１内へ流入させる。タンク６０に貯留された水は、ノズルユニット４０の吐水ノズル４１へ供給される。
【００４１】
なお、本明細書において「垂直」や「水平」などの語句を用いるが、これらは、必ずしも数学的に厳密な精度を必要とするものではなく、実質的な公差や誤差などについては許容されるものである。
【００４２】
また、タンク６０には、タンク６０に貯留される水の水位を検出する水位検出センサ１００が配置される。タンク６０は、例えば、タンク本体６１（図３参照）の上部が開放された、いわゆる大気開放式タンク（「開放式タンク」ともいう）である。
【００４３】
ここで、図３を参照してタンク６０内について説明する。図３は、タンク６０内の説明図である。図３に示すように、タンク６０は、タンク本体６１と、流入口６２と、流出口６３と、オーバーフロー口６４とを備える。流入口６２は、上記したように、タンク本体６１の上方に設けられる。流入口６２は、タンク本体６１内に給水部５０（図２参照）の水Ｗ１を流入させる。
【００４４】
流出口６３は、タンク本体６１の下部に設けられる。流出口６３は、タンク本体６１内から水Ｗ２を吐水ノズル４１（図２参照）へ向けて流出させる。オーバーフロー口６４は、タンク本体６１において流入口６２との間にエアギャップを形成するように設けられる。オーバーフロー口６４は、例えば、流入口６２よりも下方で、かつ、タンク本体６１の上部付近に設けられ、タンク本体６１内から余剰水Ｗ３を下流側（便器１０側）へ向けて下り傾斜している排水部７０の流路７１へ流出させる。なお、オーバーフロー口６４については、図５を用いて後述する。
【００４５】
また、タンク６０は、上記したような流入口６２およびオーバーフロー口６４を備えるため、タンク本体６１内の水位がオーバーフロー口６４よりも上方に上昇することはなく、流入口６２と水面ＷＳとの間にエアギャップ（空間）が形成される。すなわち、給水源５から吐水ノズル４１（いずれも、図２参照）までの流路が、エアギャップによって分断される。
【００４６】
このように、タンク６０においてエアギャップが形成されることで、例えば、給水源５から吐水ノズル４１までの流路において負圧が生じた場合であっても、汚水がタンク６０から第１流路５０ａ（図２参照）を介して逆流して給水源５を汚染することを防止することができる。
【００４７】
図２に戻り、衛生洗浄装置２０の構成の説明を続ける。図２に示すように、ポンプ１１０は、第２流路５０ｂに設けられる。ポンプ１１０は、制御部２００からの制御信号に応じて駆動し、タンク６０に貯留され流出口６３から流出された水を熱交換器１２０を介して吐水ノズル４１へ供給する。
【００４８】
熱交換器１２０は、吐水ノズル４１へ供給される水の加熱を行うことができる。例えば、熱交換器１２０は、発熱体１２１と、熱交換器用水位検出センサ１２２とを備える。
【００４９】
発熱体１２１は、熱交換器１２０内に配置され、制御部２００からの制御信号によって通電されて発熱し、熱交換器１２０を通過する水を加熱する。なお、発熱体１２１としては、例えば、シーズヒータを用いることができるが、これに限定されるものではなく、例えば、セラミックヒータなどその他の種類の発熱装置であってもよい。
【００５０】
熱交換器用水位検出センサ１２２は、熱交換器１２０の所定の位置に配置され、熱交換器１２０内の水位が所定の位置以上に上昇した場合に、所定の信号を出力する。なお、熱交換器用水位検出センサ１２２としては、フロートスイッチ（フロートセンサ）を用いることができるが、これに限定されるものではない。
【００５１】
そして、熱交換器１２０においては、水が発熱体１２１によって加熱されて温水が生成され、生成された温水が第３流路５０ｃを介してノズルユニット４０へ供給され、使用者の身体（局部）へ吐出される。
【００５２】
着座センサ２１０は、例えば、ケース３１（図１参照）の適宜位置に設けられ、使用者が便座に座ったことを検知する。着座センサ２１０は、着座が検知された場合、着座を示す信号を出力する。かかる着座センサ２１０としては、例えば、投受光式の距離センサを用いることができる。
【００５３】
なお、着座センサ２１０は、上記した距離センサに限られず、例えば便座に作用する使用者の荷重を検出する荷重センサなど他の種類のセンサを用いてもよい。また、着座センサ２１０は、必ずしもケース３１に設けられることを要せず、例えば、トイレ室の壁面などに設けられていてもよい。
【００５４】
操作部２２０は、人体局部の洗浄を開始する洗浄開始指示や洗浄を停止する洗浄停止指示が使用者によって入力される操作ボタンや操作ツマミなどを備え、トイレ室の適宜位置に設けられる。操作部２２０は、使用者から操作ボタンなどを介して入力された洗浄開始指示などを示す信号を出力する。なお、操作部２２０としては、例えば、リモートコントローラを用いることができるが、これに限定されず、本体部３０に設けられるものであってもよい。
【００５５】
上記した水位検出センサ１００、熱交換器用水位検出センサ１２２、着座センサ２１０および操作部２２０から出力される各種の信号は、制御部２００に入力される。制御部２００は、衛生洗浄装置２０全体を制御し、例えば、ＣＰＵ（Central  Processing  Unit）などの図示しない演算処理装置や、ＲＡＭ（Random  Access  Memory）などの図示しない記憶装置を備える。
【００５６】
制御部２００は、入力される各種の信号に基づいて電磁弁５２ｄ、ポンプ１１０、発熱体１２１およびノズルユニット４０などを制御する処理を行うことができる。
【００５７】
例えば、制御部２００は、水位検出センサ１００や着座センサ２１０、操作部２２０から入力される信号に基づいて、電磁弁５２ｄやポンプ１１０を制御する。
【００５８】
また、制御部２００は、熱交換器用水位検出センサ１２２から入力される所定の信号に基づいて、発熱体１２１への通電を制御することができる。例えば、制御部２００は、熱交換器用水位検出センサ１２２から所定の信号が入力される場合、発熱体１２１への通電を行う一方、所定の信号が入力されない場合、言い換えれば、熱交換器１２０内の水位が所定の位置以下の場合、発熱体１２１への通電を停止することができる。これにより、熱交換器１２０における空焚きを防止することができる。
【００５９】
次に、図４Ａおよび図４Ｂを参照してケース３１（ベースプレート３２およびカバー３３）について説明する。図４Ａおよび図４Ｂは、ベースプレート３２（およびカバー３３）を示す斜視図である。なお、図４Ａおよび図４Ｂには、ベースプレート３２上にタンク６０および排水部７０が設けられた状態を示している。図４Ａに示すように、ケース３１は、ベースプレート３２と、カバー３３とを備える。
【００６０】
図４Ａおよび図４Ｂに示すように、ベースプレート３２は、前後方向（Ｙ軸方向）に分割可能に構成され、前プレート３２ａと、後プレート３２ｂとを備える。前プレート３２ａ上には、タンク６０の余剰水を便器１０のボウル１２内へ排出する排水部７０が設けられる。タンク６０の余剰水は、排水部７０の流路７１を流れて排水口７２（図４Ａ参照）から便器１０のボウル１２内に流れ込む。なお、排水部７０については、図６Ａ〜図７Ｂを用いて後述する。
【００６１】
後プレート３２ｂ上には、タンク６０が設けられる。前プレート３２ａおよび後プレート３２ｂは、排水部７０が設けられた状態およびタンク６０が設けられた状態で分割可能に構成される。すなわち、前プレート３２ａに設けられた排水部７０および後プレート３２ｂに設けられたタンク６０は、別体に形成され、排水部７０を取り付ける場合には排水部７０の流路７１の後端部がタンク６０のオーバーフロー口６４に接続される。
【００６２】
ここで、図５を参照してオーバーフロー口６４について説明する。図５は、オーバーフロー口６４を示す斜視図である。図５に示すように、オーバーフロー口６４は、タンク本体６１のＹ軸負方向の面である前面６１ａに設けられる。オーバーフロー口６４は、タンク本体６１の前面６１ａから突出している底板６４ａと一対の側板６４ｂとによって形成された空間であり、所定の流路断面積を有する。なお、この場合の流路断面積とは、オーバーフロー口６４の開口面積であり、オーバーフロー口６４におけるＸ−Ｚ断面の面積である。
【００６３】
図４Ａに戻り、ケース３１の説明を続ける。図４Ａに示すように、カバー３３は、前プレート３２ａおよび後プレート３２ｂが連結された状態でベースプレート３２に取り付けられる。カバー３３は、ベースプレート３２の上方を覆う。
【００６４】
＜２．排水部＞
次に、図６Ａ〜図７Ｂを参照して排水部７０について説明する。図６Ａは、排水部７０が取り付けられた状態を示す斜視図である。図６Ｂは、排水部７０が取り外された状態を示す斜視図である。排水部７０は、上記したように、タンク６０に対して別体である。また、排水部７０は、前プレート３２ａとも別体に形成される。
【００６５】
ここで、排水部７０の流路７１には、タンク６０（図３参照）に安定して給水される場合には余剰水Ｗ３（図３参照）が流れることはないが、例えば、過度な給水により余剰水Ｗ３が流れることが頻発すると湿潤と乾燥を繰り返すことで、スケールが発生してしまう。スケールにより流路７１が閉塞されると排水部７０の排水能力が低下するため、流路７１からスケールを除去する必要がある。
【００６６】
本実施形態においては、排水部７０は、タンク６０に対して別体であり、前プレート３２ａに対しても別体であるため、着脱自在であり、排水部７０のみを取り出すことができる。これにより、例えば、排水部７０において発生したスケールを除去する場合に作業を容易に行えるなど、メンテナンス性を向上させることができる。
【００６７】
また、排水部７０は、受部７３を備える。受部７３は、前プレート３２ａに設けられた突部３４と係合することで、前プレート３２ａ上に排水部７０を位置決めする。なお、本実施形態では、排水部７０に受部７３が設けられ、前プレート３２ａに突部３４が設けられるが、例えば、排水部７０に突部が設けられ、前プレート３２ａに受部が設けられてもよい。また、受部７３および突部３４は、それぞれ複数箇所に設けられることが好ましい。これにより、排水部７０の位置決めを確実に行うことができる。
【００６８】
次に、図７Ａおよび図７Ｂを参照して排水部７０の流路７１について説明する。図７Ａは、排水部７０および流路７１を示す平面図である。図７Ｂは、図７ＡにおけるＡ部拡大図である。図７Ａに示すように、オーバーフロー口６４から流出された余剰水Ｗ３は、排水部７０の流路７１を流れて排水口７２から便器１０のボウル１２（図２参照）内へ排出される。図７Ｂに示すように、流路７１は、底板７１ａと一対の側板７１ｂとによって形成され、上部が開放されている。なお、流路７１において、流路７１の一部の上部が開放され、その他の部分が閉塞されているような構成であってもよい。
【００６９】
上記した実施形態に係る衛生洗浄装置２０によれば、流路７１の上部が開放されていることで、排水部７０の排水能力を上回る量の余剰水Ｗ３が流れ込んだ場合でも、上部が開放された流路７１から余剰水Ｗ３が溢れ出るため、余剰水Ｗ３の逆流を防止することができる。これにより、余剰水Ｗ３の逆流によるタンク本体６１（図３参照）の開放部分からのオーバーフローを防止することができる。
【００７０】
また、流路７１の流路断面積は、オーバーフロー口６４（図５参照）の流路断面積以上である。すなわち、流路７１は、この流路７１中のいずれの部分の流路断面積もオーバーフロー口６４の流路断面積以上となるように形成される。なお、この場合の流路断面積とは、流路７１中において余剰水Ｗ３の流れ方向と直交する面の断面積である。
【００７１】
流路７１の流路断面積がオーバーフロー口６４の流路断面積以上であることで、流路７１の流路断面がオーバーフロー口６４よりも狭くなることがない。このため、オーバーフロー口６４からの余剰水Ｗ３の排水速度が追い付かないなど、排水部７０の排水能力を上回ることを防いで余剰水Ｗ３の逆流を防止することができる。これにより、余剰水Ｗ３の逆流によるタンク本体６１の開放部分からのオーバーフローを防止することができる。
【００７２】
図７Ｂに示すように、排水部７０は、拡大部７１１と、湾曲部７１２と、壁部７１３とを流路７１に備える。拡大部７１１は、流路７１の少なくとも一部において流路７１の流路断面積が拡大している部分である。
【００７３】
拡大部７１１を流路７１に備えることで、拡大部７１１において余剰水Ｗ３の流速を低下させることができ、オーバーフロー口６４からの余剰水Ｗ３の排水速度が追い付かないなど、排水部７０の排水能力を上回ることを防いで余剰水Ｗ３の逆流を防止することができる。これにより、余剰水Ｗ３の逆流によるタンク本体６１の開放部分からのオーバーフローを防止することができる。
【００７４】
湾曲部７１２は、流路７１の少なくとも一部において湾曲している部分である。湾曲部７１２は、例えば、平面視において鉤状に湾曲（屈曲）される。なお、湾曲部７１２は、複数回の湾曲により形成されてもよい。すなわち、湾曲部７１２は、平面視においてクランク状やＳ字状に形成されてもよい。
【００７５】
湾曲部７１２を流路７１に備えることで、前プレート３２ａ上に配置された他の部材を避けながら排水部７０を配置することができ、スペース効率を高めることができる。また、湾曲部７１２において圧損が生じることで余剰水Ｗ３の流速を低下させることができ、オーバーフロー口６４からの余剰水Ｗ３の排水速度が追い付かないなど、排水部７０の排水能力を上回ることを防いで余剰水の逆流を防止することができる。これにより、余剰水Ｗ３の逆流によるタンク本体６１からのオーバーフローを防止することができる。
【００７６】
壁部７１３は、流路７１を流れる余剰水Ｗ３の流れ方向（例えば、Ｙ軸方向）に対面するように設けられる。また、壁部７１３は、湾曲部７１２の上流側に設けられる。
【００７７】
壁部７１３を流路７１に備えることで、湾曲部７１２に余剰水Ｗ３が到達する前に壁部７１３に衝突するため、余剰水Ｗ３の流速を低下させることができる。これにより、流路７１の開放された上部から余剰水Ｗ３が流路７１外へ飛散するのを抑えることができる。
【００７８】
拡大部７１１は、湾曲部７１２の上流側に設けられる。これにより、湾曲部７１２に余剰水Ｗ３が到達する前に拡大部７１１で余剰水Ｗ３の流速を低下させることができ、上記同様、流路７１の開放された上部から余剰水Ｗ３が流路７１外へ飛散するのを抑えることができる。なお、拡大部７１１は、湾曲部７１２の上流側であり、かつ、湾曲部７１２の直前に設けられることが好ましい。また、壁部７１３は、拡大部７１１に設けられることが好ましい。
【００７９】
また、拡大部７１１、湾曲部７１２および壁部７１３は、流路７１におけるより上流側、具体的には、オーバーフロー口６４の直後に設けられることが好ましい。これにより、オーバーフロー口６４からの余剰水Ｗ３の流速が増加する前にこの余剰水Ｗ３の流速を低下させることができるため、流速が低下するときの余剰水Ｗ３の跳ねを抑えることができる。
【００８０】
また、排水部７０の流路７１は、吐水ノズル４１（図２参照）の延伸方向と同様の向きとなるように形成される。これにより、タンク６０から便器１０までの間において流路７１の長さを可能な限り抑えることができる。
【００８１】
なお、上記した排水部７０では、流路７１の上部が開放された構成としているが、例えば、排水部７０に対して着脱可能であり、流路７１を覆う蓋部を設けてもよい。これにより、余剰水Ｗ３の流路７１外への飛散を防止することができる。この場合、余剰水Ｗ３の流圧で蓋部が開くように構成することで、余剰水Ｗ３が溢れ出ることも可能となり、余剰水Ｗ３の逆流を防止することができる。
【００８２】
また、図７Ｂに示すように、排水部７０は、当接部７４を備える。当接部７４は、排水部７０の前端部に設けられる。当接部７４は、一対の側板７１ｂの一方と他方との間に架け渡して設けられる。当接部７４は、排水部７０の後述する固定構造を形成する。
【００８３】
＜３．排水部の固定構造＞
次に、図８を参照して排水部７０の固定構造について説明する。図８は、排水部７０の固定構造を示す側断面図である。図８に示すように、ベースプレート３２（図４Ａ参照）の前プレート３２ａは、係合フック３５を備える。係合フック３５は、前プレート３２ａの後端部に設けられ、排水部７０の後端部に対して係合することで、排水部７０の後部を前プレート３２ａ上に固定する。
【００８４】
ケース３１のカバー３３は、押圧部３６を備える。押圧部３６は、カバー３３の内面の前端部に設けられる。押圧部３６は、カバー３３が前プレート３２ａに取り付けられた状態において排水部７０の当接部７４を上方から押圧する。
【００８５】
押圧部３６が排水部７０の当接部７４を上方から押圧することで、排水部７０の前端部が前プレート３２ａに押し付けられて排水部７０が前プレート３２ａ上に固定される。これにより、排水部７０のがたつきや、例えば、清掃時などにおいて使用者の指が排水口７２から入り込んで下方から当たることによる排水部７０のぐらつきを抑えることができる。
【００８６】
また、排水部７０の固定にネジなどの締結具を用いる必要がないため、排水部７０の固定および固定解除を容易に行うことができる。
【００８７】
なお、上記した固定構造では、排水部７０の前部を押圧して固定するが、これに限定されず、例えば、排水部７０の中途部を押圧する構成としてもよい。また、例えば、排水部７０の前部および中途部の両方を押圧する構成としてもよい。なお、排水部７０の後部は、係合フック３５によって固定されるため、上方から押圧する必要はない。
【００８８】
また、上記した固定構造では、カバー３３を取り付けるだけで排水部７０の固定が完了する構成としているが、例えば、排水部７０とカバー３３との間に押圧部材を別途設けた構成とすることも可能である。
【００８９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９０】
２０    衛生洗浄装置
３２    ベースプレート
３３    カバー
４１    吐水ノズル
６０    タンク
６１    タンク本体
６２    流入口
６３    流出口
６４    オーバーフロー口
７０    排水部
７１    流路
７１１    拡大部
７１２    湾曲部
７１３    壁部
Ｗ３    余剰水
【図１】
2019199789.tif 000003
【図２】
2019199789.tif 000004
【図３】
2019199789.tif 000005
【図４Ａ】
2019199789.tif 000006
【図４Ｂ】
2019199789.tif 000007
【図５】
2019199789.tif 000008
【図６Ａ】
2019199789.tif 000009
【図６Ｂ】
2019199789.tif 000010
【図７Ａ】
2019199789.tif 000011
【図７Ｂ】
2019199789.tif 000012
【図８】
2019199789.tif 000013